(57)【要約】【課題】互いに異なるアプリケーションにより動作するシステム間でサービスを連携させることができるサービス連携システムを提供する。【解決手段】システムは、ユーザと契約した事業者からエネルギー供給を受ける第１の機器と、ユーザと契約した事業者を表す第１の事業者情報と携帯端末を識別するための第１の識別情報とを関連付けて記憶する第１のサーバと、第２の機器を識別するための第２の識別情報が割り当てられた第２の機器と、第２の機器にエネルギーを供給する事業者を表す第２の事業者情報と第２の識別情報とを関連付けて記憶する第２のサーバとを備え、第２のサーバは、携帯端末からサービスキーの要求信号と共に受信した第１の識別情報を第１のサーバに送信し、第１の識別情報と関連付けられた第１の事業者情報を受信し、第１の事業者情報と、第２の識別情報と関連付けられた第２の事業者情報とが一致する場合に携帯端末にサービスキーを送信する。【選択図】図１
2020035258.tif 000002
【特許請求の範囲】
【請求項１】
ユーザと契約した事業者からエネルギー供給を受けて動作する第１の機器であって、前記ユーザが操作する携帯端末上で実行される第１のアプリケーションを介して制御可能な第１の機器と、
前記第１の機器の動作を制御する第１のサーバであって、前記ユーザと契約した事業者を表す情報である第１の事業者情報と、前記携帯端末を識別するための第１の識別情報とを関連付けて記憶する第１の記憶部を有する第１のサーバと、
前記第１の機器とは異なる第２の機器であって、当該第２の機器を識別するための第２の識別情報が割り当てられ、前記携帯端末上で実行される前記第１のアプリケーションとは異なる第２のアプリケーションを介して制御可能な第２の機器と、
前記第２の機器の動作を制御する第２のサーバであって、前記第２の機器にエネルギーを供給する事業者を表す情報である第２の事業者情報と、前記第２の識別情報とを関連付けて記憶する第２の記憶部を有する第２のサーバと、
を備え、
前記携帯端末は、前記第２のアプリケーションを実行している間、前記第２の機器から前記第２の識別情報を受信し、該第２の識別情報を前記第２のサーバに送信することにより、前記第２のサーバの制御の下で、前記第２の機器を動作させると共に、所定のサービスを受けるためのサービスキーの要求信号を自身の第１の識別情報と共に前記第２のサーバに送信し、
前記第２のサーバは、さらに、前記要求信号を受信した場合、該要求信号と共に受信した前記第１の識別情報を前記第１のサーバに送信すると共に、前記第２の識別情報と関連付けられた前記第２の事業者情報を前記第２の記憶部から抽出し、
前記第１のサーバは、前記第２のサーバから受信した前記第１の識別情報と関連付けられた前記第１の事業者情報を前記第１の記憶部から抽出して前記第２のサーバに送信し、
前記第２のサーバは、前記第１のサーバから受信した前記第１の事業者情報と、前記第２の記憶部から抽出した前記第２の事業者情報とを照合し、前記第１の事業者情報と前記第２の事業者情報とが一致する場合に、前記携帯端末に対して前記サービスキーを送信する、
サービス連携システム。
【請求項２】
前記サービスキーは、前記第２の機器の使用に関する決済代金の割引の適用を受けるための情報である、請求項１に記載のサービス連携システム。
【請求項３】
前記第１の機器は、ユーザの家庭内において使用される１つ以上の管理対象機器を管理する管理装置であり、
前記第２の機器は、ユーザの家庭外に設置された充電器である、
請求項１又は請求項２に記載のサービス連携システム。
【発明の詳細な説明】
【技術分野】
【０００１】
本発明は、ユーザが利用する複数のアプリケーションにおける機能を連携させるサービス連携システムに関する。
【背景技術】
【０００２】
近年、家庭内における電気やガス等のエネルギーの使用状況を管理するサービス連携システム（Ｈｏｍｅ  Ｅｎｅｒｇｙ  Ｍａｎａｇｅｍｅｎｔ  Ｓｙｓｔｅｍ：ＨＥＭＳ）の導入が推進されている。ＨＥＭＳは、家庭内で使用される家電や充電器等の機器を、通信ネットワークを介して専用の管理装置に接続することにより、エネルギーの使用状況をモニタに表示して可視化したり、省エネとなるように各種機器を制御したりするシステムである。また、ＨＥＭＳにおいては、ユーザが操作するスマートフォン等の携帯端末から電気機器を制御することも可能である。
【０００３】
他方、電気自動車の普及に伴い、充電スタンド等の設備や充電器を利用するユーザへのサービスの拡充が図られている。例えば、特許文献１には、ユーザが操作する携帯端末を用い、サーバを介して充電器を操作できると共に、充電の待ち時間に利用できるクーポンを携帯端末に発行する充電制御システムが開示されている。
【先行技術文献】
【特許文献】
【０００４】
【特許文献１】特許第５９０３１８４号公報
【発明の概要】
【発明が解決しようとする課題】
【０００５】
最近の電力やガスの自由化に伴い、電力やガス等のエネルギー事業者は、様々なサービスをユーザに提供することによりユーザ獲得を目指している。具体例として、月間の使用料が一定量以上である、電気とガスを同一の事業者と契約している、といった条件に応じて料金を割り引くサービスが挙げられる。
【０００６】
しかしながら、上述したＨＥＭＳと、特許文献１に開示された充電制御システムとは、別個のアプリケーションにより動作し、互いのサービスを連携させることは想定されていない。そのため、例えば、ＨＥＭＳのユーザが外出先で電気自動車を充電したといった場合であっても、電力の使用料を家庭内と外出先とでは合算することができず、ユーザは電力の使用料に応じたサービスを受けることができない。
【０００７】
そこで、本発明は、かかる事情に鑑みてなされたものであり、互いに異なるアプリケーションにより動作するシステム間でサービスを連携させることができるサービス連携システムを提供することを目的の１つとする。
【課題を解決するための手段】
【０００８】
上記課題を解決するため、本発明の一態様によるサービス連携システムは、ユーザと契約した事業者からエネルギー供給を受けて動作する第１の機器であって、前記ユーザが操作する携帯端末上で実行される第１のアプリケーションを介して制御可能な第１の機器と、前記第１の機器の動作を制御する第１のサーバであって、前記ユーザと契約した事業者を表す情報である第１の事業者情報と、前記携帯端末を識別するための第１の識別情報とを関連付けて記憶する第１の記憶部を有する第１のサーバと、前記第１の機器とは異なる第２の機器であって、当該第２の機器を識別するための第２の識別情報が割り当てられ、前記携帯端末上で実行される前記第１のアプリケーションとは異なる第２のアプリケーションを介して制御可能な第２の機器と、前記第２の機器の動作を制御する第２のサーバであって、前記第２の機器にエネルギーを供給する事業者を表す情報である第２の事業者情報と、前記第２の識別情報とを関連付けて記憶する第２の記憶部を有する第２のサーバと、を備え、前記携帯端末は、前記第２のアプリケーションを実行している間、前記第２の機器から前記第２の識別情報を受信し、該第２の識別情報を前記第２のサーバに送信することにより、前記第２のサーバの制御の下で、前記第２の機器を動作させると共に、所定のサービスを受けるためのサービスキーの要求信号を自身の第１の識別情報と共に前記第２のサーバに送信し、前記第２のサーバは、さらに、前記要求信号を受信した場合、該要求信号と共に受信した前記第１の識別情報を前記第１のサーバに送信すると共に、前記第２の識別情報と関連付けられた前記第２の事業者情報を前記第２の記憶部から抽出し、前記第１のサーバは、前記第２のサーバから受信した前記第１の識別情報と関連付けられた前記第１の事業者情報を前記第１の記憶部から抽出して前記第２のサーバに送信し、前記第２のサーバは、前記第１のサーバから受信した前記第１の事業者情報と、前記第２の記憶部から抽出した前記第２の事業者情報とを照合し、前記第１の事業者情報と前記第２の事業者情報とが一致する場合に、前記携帯端末に対して前記サービスキーを送信するものである。
【発明の効果】
【０００９】
本発明によれば、第２のサーバは、第２の機器に割り当てられた第２の識別情報を第１のサーバに送信することにより、ユーザが契約している事業者を表す第１の事業者情報を取得することができるので、ユーザが契約している事業者と、第２の機器にエネルギーを供給する事業者とが一致するか否かを判断し、一致した場合にはユーザが操作する携帯端末にサービスキーを送信することができる。従って、互いに異なるアプリケーションにより動作するシステム間でサービスを連携させることが可能となる。
【図面の簡単な説明】
【００１０】
【図１】実施形態に係るサービス連携システムの概要を示す図である。
【図２】実施形態に係るサービス連携システムの構成例を示す図である。
【図３】実施形態に係る機器管理システムの構成例を示す図である。
【図４】実施形態に係る制御サーバの機能構成の具体例を示す機能ブロック図である。
【図５】実施形態に係る管理用アプリケーションの機能構成の具体例を示す機能ブロック図である。
【図６】実施形態に係る充電サービスシステムの構成例を示す図である。
【図７】実施形態に係る充電サービス提供サーバの機能構成の具体例を示す機能ブロック図である。
【図８】実施形態に係る充電用アプリケーションの機能構成の具体例を示す機能ブロック図である。
【図９】実施形態に係るサービス連携システムの処理の流れを示すシーケンス図である。
【図１０】制御サーバのハードウェア構成の具体例を示す図である。
【図１１】ユーザ端末のハードウェア構成の具体例を示す図である。
【発明を実施するための形態】
【００１１】
添付図面を参照して、本発明の好適な実施形態について説明する。なお、各図において、同一の符号を付したものは、同一又は同様の構成を有する。
【００１２】
以下、図面を参照して本発明の実施形態を説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１３】
また、以下の実施形態においては、エネルギーを供給する事業者として電力会社を例示するが、これに限定されるものではなく、ガス会社や石油会社など一般消費者にエネルギーを供給する事業者に代替し得ることは言うまでもない。
【００１４】
図１〜図１１は、実施形態を説明するための図である。以下、これらの図を参照しながら、以下の流れに沿って実施形態を説明する。まず「１」で実施形態に係るサービス連携システムの構成を説明する。続いて「２」で実施形態に係る機器管理システムの構成を説明する。「３」では、制御サーバについて、「４」では管理用アプリケーションについて説明する。「５」では、実施形態に係る充電サービスシステムの構成を説明する。「６」では、充電サービスサーバについて、「７」では充電用アプリケーションについて説明する。「８」では、サービス連携システムにおける処理の流れを説明する。「９」ではサービス連携システムを構成する各機器を実現可能なハードウェア構成の具体例を説明する。最後に「１０」以降で、本実施形態に係る効果などを説明する。
【００１５】
（１．  サービス連携システムの構成）
まず、図１及び図２を参照しながら、実施形態に係るサービス連携システム１の概要を説明する。サービス連携システム１は、ユーザの宅内（以下、単に「ユーザ宅」ともいう。）において使用される第１の機器及びこれを制御する第１のサーバを含むシステムの一例としての機器管理システム２と、ユーザ宅外において使用される第２の機器及びこれを制御する第２のサーバを含むシステムの一例としての充電サービスシステム３とを備える。機器管理システム２及び充電サービスシステム３においては、ユーザが操作する共通のユーザ端末１００が使用され得る。もっとも、ユーザの宅内・宅外といった場所の限定は必須ではなく、第１及び第２の機器は、機器の種類や機器の使用目的、使用される状況等が異なるに過ぎない。
【００１６】
ここで、図２において、太い実線は電気の流れを示し、細い実線は情報の流れを示す。また、破線は、無線通信による情報の流れを示す。
【００１７】
ユーザ端末１００は、当該サービス連携システム１のユーザが使用する携帯可能な端末装置であり、例えばいわゆるスマートフォンと呼ばれる携帯電話や、タブレット型端末、ＰＤＡ（Ｐｅｒｓｏｎａｌ  Ｄｉｇｉｔａｌ  Ａｓｓｉｓｔａｎｔ）等により実現することができる。ユーザ端末１００は、通信ネットワークＮ１、Ｎ２と随時接続し、通信ネットワークＮ１、Ｎ２に接続された他の機器との間で情報の送受信を行う。
【００１８】
通信ネットワークＮ１は、有線ネットワーク及び無線ネットワークから構成されるインターネットであり、内部に公衆無線ＬＡＮのアクセスポイントや携帯電話の基地局等を含むことができる。通信ネットワークＮ２は、有線ネットワーク及び無線ネットワークから構成されるユーザ宅内の通信ネットワークであり、内部に無線ＬＡＮのアクセスポイントやＬＡＮスイッチ等を含むことができる。
【００１９】
機器管理システム２は、ユーザ端末１００と、制御サーバ２００と、管理装置２０１と、管理対象機器２０２ａ、２０２ｂ、…と、を含む。図１及び図２には複数の管理対象機器２０２ａ、２０２ｂ、…が図示されているが、１つの管理装置２０１に接続される管理対象機器は１つであってもよい。以下、管理対象機器２０２ａ、２０２ｂ、…を代表して、管理対象機器２０２と記す。
【００２０】
管理装置２０１は、ユーザ宅に設置された各種の家電等の管理対象機器２０２の管理（監視及び制御）を行う装置である。管理対象機器２０２はどのような機器であってもよいが、例えば、エアコン、電気給湯器、家庭用太陽光発電システム、燃料電池、蓄電池、電気自動車の車両ＥＶの充放電器、照明装置、スマートメータ等が挙げられる。
【００２１】
ここで、管理装置２０１が管理対象とする管理対象機器２０２の範囲（ユーザ宅内）は、管理装置２０１が設置された建物内などに対応するが、これに限定されるものではない。例えば、電気自動車の充電用として建物外に設置される家庭用の充放電器を管理範囲に含めても良い。管理装置２０１、及び家電や充電器など電力を消費する管理対象機器２０２には、当該ユーザ宅で契約している電力会社から電力が供給される。
【００２２】
制御サーバ２００は、管理範囲の中に設置される管理装置２０１を利用するユーザのユーザ登録、及び管理装置２０１の管理（監視及び制御）を行う装置である。
【００２３】
ユーザ端末１００は、予めインストールされた管理用アプリケーション（以下、管理用アプリともいう）を実行することで、機器管理システム２において、管理装置２０１と例えばＢｌｕｅｔｏｏｔｈ（登録商標）等の近距離無線通信を用いて直接通信し、管理装置２０１及び管理対象機器２０２の監視及び制御を行うユーザＩＦ（Interface）としての役割を担う。ユーザ端末１００は、管理装置２０１から送信された例えばＢｌｕｅｔｏｏｔｈ（登録商標）によるビーコン信号も受信可能である。また、ユーザ端末１００は、必要に応じて制御サーバ２００と通信ネットワークＮ１を介して通信し、ユーザ登録や各種設定情報の登録等を行う。さらに、ユーザ端末１００は、無線ＬＡＮを使用して管理装置２０１と通信することも可能である。
【００２４】
充電サービスシステム３は、ユーザ端末１００と、充電サービスサーバ３００と、充電スタンド等に設置される１つ以上充電器３０１と、を含む。充電サービスサーバ３００が制御対象とする充電器３０１の数は特に限定されない。充電器３０１が複数設けられる場合、複数の充電スタンドの各々に充電器が１つずつ設置されていても良いし、１つの充電スタンドに複数の充電器３０１が設置されていても良い。また、複数の充電器３０１が設置された充電スタンドが複数箇所に存在していても良い。
【００２５】
充電器３０１は、ユーザが使用する電気自動車の車両ＥＶに内蔵されたバッテリを充電する。充電器３０１には、当該充電器３０１を設置・管理する充電スタンドが契約している電力会社から電力が供給される。
【００２６】
充電サービスサーバ３００は、充電器３０１による充電動作を制御する機能の他、充電器３０１の利用に係る代金の決済機能や、充電器３０１のユーザに所定のサービスを提供する機能等を有する。
【００２７】
ユーザ端末１００は、予めインストールされた充電用アプリケーション（以下、充電用アプリともいう）を実行することで、充電サービスサーバ３００と通信ネットワークＮ１を介して通信し、充電器３０１を操作して電気自動車の車両ＥＶに充電するためのユーザＩＦとしての役割を担う。また、ユーザ端末１００は、充電器３０１から送信された例えばＢｌｕｅｔｏｏｔｈ（登録商標）によるビーコン信号を受信可能である。
【００２８】
このようなサービス連携システム１において、制御サーバ２００及び充電サービスサーバ３００は、通信ネットワークＮ１を介して互いに通信することにより、ユーザ端末１００上で別個に実行される管理用アプリケーション及び充電アプリケーションにおけるサービスを連携してユーザに提供する。
【００２９】
（２．  機器管理システムの構成）
次に、図３を参照しながら、実施形態に係る機器管理システム２の構成例及び処理の概要を説明する。前述のとおり、機器管理システム２は、ユーザＵが操作するユーザ端末１００と、制御サーバ２００と、管理装置２０１と、管理対象機器２０２とを含む。ユーザ端末１００と、制御サーバ２００と、管理装置２０１と、管理対象機器２０２とは、通信ネットワークＮ１及び通信ネットワークＮ２を介して相互に通信可能である。
【００３０】
以下、ユーザ端末１００及び管理装置２０１が近距離無線を介して通信する際の通信経路を、通信経路Ｒ１と呼ぶ。また、制御サーバ２００及び管理装置２０１が、通信ネットワークＮ１及び通信ネットワークＮ２を介して通信する際の通信経路を、通信経路Ｒ２と呼ぶ。また、管理装置２０１及び管理対象機器２０２が通信ネットワークＮ２を介して通信する際の通信経路を、通信経路Ｒ３と呼ぶ。また、ユーザ端末１００及び制御サーバ２００が通信する際の通信経路を、通信経路Ｒ４と呼ぶ。また、ユーザ端末１００及び管理装置２０１が通信ネットワークＮ２を介して通信する際の通信経路を、通信経路Ｒ５と呼ぶ。
【００３１】
制御サーバ２００は、複数の異なるユーザ宅に設置された各管理装置２０１から、各々のユーザ宅に関する環境情報、及び各々のユーザ宅に設置された管理対象機器２０２の動作状態に関する情報を収集し、収集した情報（管理情報）をデータベースに蓄積する。また、制御サーバ２００は、管理装置２０１を自宅に設置したユーザＵのユーザ登録を行う機能や、蓄積した管理情報を統計的に分析する機能を備える。
【００３２】
管理装置２０１は、プロセッサ及び記憶装置に加え、通信機能、表示機能、及び、温度や湿度や気圧等を検出するための各種センサを備える装置であり、各ユーザ宅に設置される。通信機能としては、例えばＢｌｕｅｔｏｏｔｈ（登録商標）等の近距離通信によりユーザ端末１００と通信する近距離通信機能、及び、通信ネットワークＮ２に接続するインタフェースである、有線／無線ＬＡＮ通信機能を含むことができる。
【００３３】
管理装置２０１は、例えば起動に伴い、当該管理装置２０１に割り当てられた識別情報である「管理デバイスキー」をビーコン信号として周囲の装置に対して送信する（通信経路Ｒ１参照）。
【００３４】
また、管理装置２０１は、管理対象機器２０２から通信経路Ｒ３を介して、該管理対象機器２０２の動作状態に関する情報を収集し、管理対象機器２０２の動作状態に関する情報を、通信経路Ｒ２を介して制御サーバ２００に送信する。
【００３５】
また、管理装置２０１は、ユーザ宅内の温度、湿度、気圧、照度、浮遊粉塵（浮遊ダスト）の量といった環境に関する情報（以下、「環境情報」と言う）を各種センサにより測定し、この測定結果を環境情報として、通信経路Ｒ２を介して制御サーバ２００に送信する。以下、環境情報及び管理対象機器２０２の動作状態に関する情報の両方又は少なくとも一方を含む情報を、「管理情報」と呼ぶ。
【００３６】
また、管理装置２０１は、ユーザ端末１００からの要求を受けた場合に、管理対象機器２０２の動作状態及び／又は環境情報を含む管理情報を、通信経路Ｒ５を介してユーザ端末１００に送信する。
【００３７】
また、管理装置２０１は、ユーザ端末１００又は制御サーバ２００からの指示に基づいて、管理対象機器２０２の各々を制御するための制御情報（制御メッセージ）を、ユーザ端末１００から通信経路Ｒ３を介して、指定された管理対象機器２０２に送信する。
【００３８】
（３．  制御サーバ２００）
次に、図４を参照しながら、制御サーバ２００の機能について説明する。図４は、制御サーバ２００の機能構成の具体例を示す機能ブロック図である。制御サーバ２００は、管理装置制御部２１０、デバイス登録部２１３、ユーザ登録部２１４、ユーザ端末制御部２１５、照合情報送信部２１６、及びデータベース（ＤＢ）２１７を含む。データベース（ＤＢ）２１７には、デバイス情報２１８、ユーザ情報２１９、及び管理情報２２０が格納される。
【００３９】
管理装置制御部２１０は、管理装置２０１との間で通信経路Ｒ２を介して通信することで、管理装置２０１に対する制御を行う。詳細には、管理装置制御部２１０は、制御指示部２１１、管理情報管理部２１２を含む。
【００４０】
制御指示部２１１は、管理装置２０１に対して、管理対象機器２０２を制御するように指示する。制御指示部２１１は、後述するユーザ端末制御部２１５により受け付けたユーザ端末１００からの指示に基づいて、管理対象機器２０２を制御するように指示してもよい。若しくは、制御指示部２１１は、管理装置２０１から取得した管理情報２２０に含まれる環境情報に基づいて、管理対象機器２０２を制御する必要があるか否かを自動判定し、管理対象機器２０２を制御する必要があると判定した場合に、管理対象機器２０２を制御するように指示してもよい。
【００４１】
管理情報管理部２１２は、管理装置２０１から管理情報２２０を取得し、取得した管理情報２２０をＤＢ２１７に格納する。ここで、管理情報管理部２１２が受信する管理情報２２０には、前述したように、管理対象機器２０２の動作状態に関する情報や、管理装置２０１が設置された場所の環境情報が含まれる。管理情報管理部２１２は、さらに、ＤＢ２１７に格納した管理情報２２０を分析し、必要に応じて、ユーザＵに通知すべき情報を生成し、管理装置２０１に送信するようにしても良い。
【００４２】
デバイス登録部２１３は、管理装置２０１を特定するための情報と、該管理装置２０１が設置されたユーザ宅において契約している電力会社を特定するための情報（例えば会社名）と、を含むデバイス情報２１８をＤＢ２１７に登録する。管理装置２０１を特定するための情報には、管理装置２０１の識別情報（例えばシリアルナンバー。以下、管理デバイスキーともいう）と、管理装置２０１が設置された箇所におけるＧＰＳ位置情報とが含まれる。デバイス登録部２１３は、ユーザ端末１００を介して送信された管理デバイスキー及びＧＰＳ位置情報と、契約電力会社情報とを関連付け、デバイス情報２１８としてＤＢ２１７に格納する。
【００４３】
ユーザ登録部２１４は、管理アプリを使用するユーザＵを特定するための情報（以下、ユーザデバイスキーともいう）及び認証のためのパスワードと、管理アプリに登録された（ユーザＵが契約している）電力会社を特定するための情報（第１の事業者情報）と、を含むユーザ情報２１９をＤＢ２１７に登録する。ユーザＵを特定するための情報は、管理アプリにおけるユーザＵのログインＩＤでも良いし、ユーザ端末１００の識別情報（例えば電話番号やシリアルナンバー。以下、ユーザデバイスキーともいう）でも良い。電力会社を特定するための情報（以下、契約電力会社情報ともいう）としては、例えば会社名などが挙げられる。ユーザ登録部２１４は、ユーザ端末１００から送信されたユーザデバイスキーと、管理アプリに登録された契約電力会社情報とを関連付け、ユーザ情報２１９としてＤＢ２１７に格納する。
【００４４】
ユーザ端末制御部２１５は、ユーザ端末１００との間で通信することで、ユーザ端末１００に対する制御を行う。詳細には、ユーザ端末制御部２１５は、ユーザ端末１００から、通信経路Ｒ４を介してデバイス情報２１８及びユーザ情報２１９を受信し、受信したこれらの情報を、デバイス登録部２１３及びユーザ登録部２１４にそれぞれ渡す。
【００４５】
また、ユーザ端末制御部２１５は、管理情報管理部２１２が受信した管理情報２２０を、通信経路Ｒ４を介してユーザ端末１００に随時通知する。或いは、ユーザ端末制御部２１５は、管理情報管理部２１２により管理情報２２０を分析すること等により得られた、ユーザに通知すべき情報をユーザ端末１００に通知するようにしてもよい。
【００４６】
さらに、ユーザ端末制御部２１５は、ユーザ端末１００から、管理対象機器２０２の制御に関する指示を受け付け、受け付けた制御の内容を制御指示部２１１に通知する。この場合、制御指示部２１１は、通知された指示に応じて、管理装置２０１に対して管理対象機器２０２の動作を制御するように指示する。
【００４７】
照合情報送信部２１６は、充電サービスサーバ３００との間で通信することで、充電サービスサーバ３００から要求された照合情報をＤＢ２１７から抽出して充電サービスサーバ３００に送信する。詳細には、照合情報送信部２１６は、照合情報の要求信号と共に受信したユーザデバイスキーをもとに、当該ユーザデバイスキーによって特定されるユーザ情報を抽出し、該ユーザ情報に含まれる契約電力会社情報を充電サービスサーバ３００に送信する。
【００４８】
（４．  管理用アプリケーション２３０）
次に、図５を参照しながら、本実施形態に係るユーザ端末１００にインストールされる管理用アプリケーション（管理用アプリ）２３０の機能構成を説明する。管理用アプリ２３０は、表示制御部２３１、入力部２３２、管理装置接続部２３３、管理装置設定部２３４、ユーザ情報登録部２３５、管理情報取得部２３６、制御指示部２３７、報知部２３８、及びデータベース（ＤＢ）２４０を含む。ＤＢ２４０は、ユーザ情報２４１を、管理用アプリ２３０が管理する記憶領域上に格納する。
【００４９】
表示制御部２３１は、ユーザ端末１００のディスプレイに対する表示を制御する。例えば、表示制御部２３１は、管理装置２０１に対する各種設定や、制御サーバ２００に対する各種設定を行うための設定画面や、管理対象機器２０２の動作状態に関する情報や管理装置２０１により計測された環境情報を含む管理情報等を、ディスプレイに表示させる。
【００５０】
入力部２３２は、ユーザ端末１００に設けられた例えば操作ボタンやタッチパネル等へのユーザＵからの入力操作を受け付け、関係する機能ブロックへ操作内容を伝達する。例えば管理装置２０１が制御サーバ２００と通信するための通信設定や、ユーザ登録又はユーザデバイス登録等のための操作入力がなされた場合には、入力部２３２が管理装置設定部２３４や制御指示部２３７へその旨を伝達する。
【００５１】
管理装置接続部２３３は、管理装置２０１との間で例えばＢｌｕｅｔｏｏｔｈ（登録商標）等による近距離無線接続を行う。
【００５２】
管理装置設定部２３４は、ユーザＵからの入力部２３２への操作入力に応じて、管理装置２０１の動作に必要な各種設定を行う。例えば、管理装置２０１が通信ネットワークＮ２へ接続するための無線アクセスポイントへの接続設定を、管理装置設定部２３４は管理装置２０１に対して行う。
【００５３】
ユーザ情報登録部２３５は、ユーザＵから入力部２３２への操作入力に応じて、ユーザ情報２４１の登録処理を行う。すなわち、ユーザ情報登録部２３５は、ユーザＵのログインＩＤ及びパスワードの入力を入力部２３２から受けると、ログインＩＤ及びパスワードの有効性を確認した上で、これらのログインＩＤ及びパスワードを制御サーバ２００に送信し、ユーザ情報２１９として登録させる。また、ユーザ情報登録部２３５は、ユーザ端末１００のユーザデバイスキーを制御サーバ２００に送信し、ユーザ情報２１９として登録させる。また、ユーザ情報登録部２３５は、ユーザＵから入力部２３２への操作入力に応じて、契約電力会社情報を制御サーバ２００に送信し、ユーザ情報２１９として登録させる。さらに、ユーザ情報登録部２３５は、制御サーバ２００に送信した情報を、ユーザ情報２４１としてＤＢ２４０に登録する。
【００５４】
管理情報取得部２３６は、管理装置２０１から通信経路Ｒ１を介して管理情報を取得し、或いは、制御サーバ２００から通信経路Ｒ４を介して管理情報を取得する。
【００５５】
制御指示部２３７は、ユーザＵから管理対象機器２０２に対する制御の指示を受け付け、受け付けた制御の内容を、通信経路Ｒ１を介して管理装置２０１に通知し、或いは、通信経路Ｒ４を介して制御サーバ２００に通知する。
【００５６】
報知部２３８は、制御サーバ２００からの要求に応じて、ユーザに通知すべき情報をユーザＵに報知する。例えば、管理対象機器２０２であるエアコンの使用量が当該ユーザにおける昨年度の使用量と比較して著しく多いといった情報や、他のユーザの平均よりも著しく多いといった情報をユーザＵに報知する。ユーザＵは、このような報知を受けることで、エアコンのスイッチをこまめにオフにするといった対応を行うことができる。
【００５７】
（５．  充電サービスシステムの構成）
次に、図６を参照しながら、実施形態に係る充電サービスシステム３の構成及び処理の概要を説明する。前述のとおり、充電サービスシステム３は、ユーザＵが操作するユーザ端末１００と、充電サービスサーバ３００と、充電器３０１とを含む。ユーザ端末１００と充電サービスサーバ３００と、及び、充電器３０１と充電サービス３００とは、それぞれ、通信ネットワークＮ１を介して有線又は無線により、相互に通信可能である。また、ユーザ端末１００は、充電器３０１から送信された例えばＢｌｕｅｔｏｏｔｈ（登録商標）によるビーコン信号を受信可能である。
【００５８】
充電サービスサーバ３００は、充電サービス提供機能３０３と、決済サービス提供機能３０４と、サービスキー発行機能３０５とを有する。充電サービスサーバ３００は、１台のハードウェア（サーバ装置）でこれらの機能を提供することとしても良いし、通信ネットワークＮ１上に分散された複数のハードウェアでこれらの機能をそれぞれ提供することとしても良い。
【００５９】
充電サービス提供機能３０３は、通信ネットワークＮ１を介して、ユーザ端末１００、充電器３０１と逐次通信することにより、充電器３０１による車両ＥＶへの給電等を制御する機能を担う。また充電サービス提供機能３０３は、ユーザ端末１００へ充電状況や充電の完了を通知する。
【００６０】
決済サービス提供機能３０４は、ユーザ端末１００からの要求に応じて、ユーザ端末１００に格納された決済情報の有効性を確認する処理や、充電器３０１による車両ＥＶの充電に伴い発生した代金をユーザＵに対して課金するための決済処理を行う。そのために決済サービス提供機能３０４は、例えば銀行口座やクレジットカード等から、発生代金を引き落とす決済サービスを提供する。ここで、本実施形態において、決済に必要な決済情報はユーザ端末１００の充電用アプリが管理している。充電開始前に、ユーザ端末１００の充電用アプリは決済サービス提供機能３０４との間で決済情報の有効性を確認する。また、充電サービス提供機能３０３からの充電完了通知の受信等のタイミングで、充電用アプリは決済サービス提供機能３０４との間で決済処理を行う。
【００６１】
サービスキー発行機能３０５、ユーザ端末１００からの要求を受けて、ユーザＵが所定のサービスを受けるために必要となるサービスキーを発行し、ユーザ端末１００に送信する。サービスキーを利用してユーザＵが受けることができるサービスには、所定の条件の下で課金割引が受けられるサービスの他、ユーザＵが充電を行っている充電器３０１の近傍の店舗で利用できる買い物の割引サービス等であっても良い。
【００６２】
ユーザ端末１００の充電用アプリは、充電器３０１から一定距離内に入ると、充電器３０１から発信されたビーコン信号を受信することにより、該ビーコン信号に含まれる充電器３０１の識別信号（以下、充電デバイスキーともいう）を取得し、充電サービスサーバ３００に送信する。これにより、ユーザ端末１００は、充電サービスサーバ３００から当該識別信号に対応する充電器３０１に関する情報を得ることができる。
【００６３】
ユーザＵは、ユーザ端末１００にインストールされた充電用アプリを実行及び操作することにより、充電サービスサーバ３００による制御の下、充電器３０１から車両ＥＶのバッテリを充電することができる。この際、充電サービスの提供を受けるために必要なユーザＵの識別情報や決済情報は、ユーザ端末１００の充電アプリが管理する記憶領域上に管理される。
【００６４】
またユーザ端末１００は、当該充電用アプリにより、充電状況や充電の完了をユーザＵに報知することもできる。これにより、ユーザＵは、たとえ充電器３０１の近傍で待機せずとも、充電状況や充電完了を把握することが可能となる。更にユーザ端末１００は、サービスキー発行機能３０５により発行された課金割引のサービスキーを、例えば決済処理で利用することができる。
【００６５】
充電器３０１は、充電サービスサーバ３００による制御の下、車両ＥＶに給電する。充電器３０１は給電ケーブルの制御線により車両ＥＶの情報や充電状況を逐次車両ＥＶから取得可能であり、更に充電器３０１はこれらの情報を逐次充電サービスサーバ３００に通知可能である。また充電が完了した際には、充電器３０１は充電完了を充電サービスサーバ３００に通知する。
【００６６】
（６．  充電サービスサーバ３００）
次に、図７を参照しながら、充電サービスサーバ３００の機能構成を説明する。図７は、充電サービスサーバ３００の機能構成の具体例を示す機能ブロック図である。充電サービスサーバ３００は、ユーザ端末制御部３１１、充電器制御部３１２、照合情報要求部３１３、照合部３１４、サービスキー発行処理部３１５、決済処理部３１６、及びデータベース（ＤＢ）３１７を含む。ＤＢ３１７は、ユーザ認証情報３１８、充電器情報３１９、及び充電情報３２０を含む各種情報を管理する。
【００６７】
ユーザ端末制御部３１１は、ユーザ端末１００との間で通信することで、ユーザ端末１００に対する制御を行う。詳細には、ユーザ端末制御部３１１は、ユーザＵが操作するユーザ端末１００から、充電器３０１の識別情報（充電デバイスキー）及びＧＰＳ位置情報を受信し、当該充電デバイスキーに対応する充電器情報３１９をＤＢ３１７から取得する。充電器情報３１９には、ユーザＵが充電器３０１を物理的に確認するために必要な充電器３０１の位置や名称等に関する文字列情報等を含むことができる。ユーザ端末制御部３１１は、当該充電器情報３１９をユーザ端末１００に送信する。
【００６８】
また、ユーザ端末制御部３１１は、ユーザ端末１００上で実行される充電用アプリにおいて登録されたユーザＵの認証情報をユーザ端末１００から受信し、ＤＢ３１７に予め格納されているユーザ認証情報３１８と照合する。ユーザ端末制御部３１１は、当該照合が成功すればユーザ認証が成功した、すなわち受信した認証情報が有効であると判断する。
【００６９】
充電器制御部３１２は、ユーザ端末制御部３１１においてユーザ認証が成功した場合、充電器３０１に対し車両ＥＶへの充電を開始させると共に、充電状況の情報（充電情報３２０）を逐次取得し、ユーザ端末制御部３１１を介して充電状況をユーザ端末１００に送信する。充電情報３２０には、充電に用いられる電圧／電流や、車両ＥＶのバッテリの残容量の情報（後述のＳＯＣ情報）を含むことができる。これによりユーザ端末１００の充電用アプリケーションは、「〇〇％まで充電完了、××ｋＷ充電量」等の表示が可能となる。なお、充電情報３２０はＤＢ３１７に格納し売る。
【００７０】
照合情報要求部３１３は、ユーザ端末１００からサービスキーを要求された場合に、制御サーバ２００との間で通信を行い、ユーザ端末１００のユーザＵがサービス適用対象であるか否かを判断するための照合情報を制御サーバ２００に要求する。詳細には、照合情報要求部３１３は、照合情報の要求信号を、ユーザ端末１００から送信されたユーザ端末１００のユーザデバイスキーと共に、制御サーバ２００に送信する。ここで、照合情報とは、ユーザ情報２１９（図４参照）においてユーザデバイスキーと関連付けられている契約電力会社情報である。
【００７１】
照合部３１４は、照合情報要求部３１３からの要求信号に応じて制御サーバ２００から送信された照合情報に基づいて照合を行うことで、ユーザ端末１００がサービス適用対象であるか否かを判断する。詳細には、照合部３１４は、照合情報として、ユーザ端末１００のユーザデバイスキーと関連付けられた契約電力会社情報を制御サーバ２００から受信し、このユーザデバイスキーと関連付けられた契約電力会社情報と、充電器３０１の充電デバイスキーと関連付けられた契約電力会社情報とが一致するか否かを判断する。そして、両者が一致する場合に、当該ユーザ端末１００のユーザＵは、サービス適用対象であると判断する。
【００７２】
サービスキー発行処理部３１５は、照合部３１４により、ユーザ端末１００のユーザＵがサービス適用対象であると判断された場合に、ユーザＵが所定のサービスを受けるために使用されるサービスキーを発行して、ユーザ端末１００に送信する。
【００７３】
決済処理部３１６は、充電器３０１の利用に対する決済処理を行う。この際、ユーザ端末１００がサービスキーを保有している場合、即ち、ユーザＵが契約している電力会社と、充電器３０１が設置された充電スタンドが契約している電力会社とが一致している場合、決済処理部３１６は、充電器３０１の利用代金に対して所定の割引処理を行う。
【００７４】
ユーザ認証情報３１８は、充電サービスサーバ３００によって提供される充電サービスをユーザＵが利用する際に登録される認証のための情報であり、例えば充電アプリにおいて登録されたユーザＩＤ及びパスワード等の情報を含むことができる。
【００７５】
充電器情報３１９は、充電器３０１を特定するための情報と、該充電器３０１が設置された充電スタンドにおいて契約している電力会社を特定するための情報（第２の事業者情報）とを含む。充電器３０１を特定するための情報は、充電器３０１に対して一意に割り当てられる識別情報（充電デバイスキー）と、充電器３０１が設置された場所の位置情報とを組み合わせたものである。電力会社を特定するための情報（以下、契約電力会社情報ともいう）としては、例えば会社名などが挙げられる。ユーザ端末制御部３１１は、ユーザ端末１００から、充電デバイスキー及びＧＰＳ位置情報を受信すると、充電デバイスキーを参照して、当該充電デバイスキーに対応付けられた充電器３０１の充電器情報３１９を抽出し、充電器情報３１９をユーザ端末１００に送信する。これによりユーザＵは、近傍にある（すなわち、充電デバイスキーをビーコン信号により受信した）充電器３０１に関する情報を、ユーザ端末１００上で確認することが可能となる。
【００７６】
充電情報３２０は、車両ＥＶに充電中の充電器３０１についての充電に関する各種情報が含まれる。例えば、車両ＥＶへの充電に用いている電圧及び電流の情報、並びに、充電対象の車両ＥＶのバッテリの電池残量に関する情報（以下、ＳＯＣ（Ｓｔａｔｅ  ｏｆ  Ｃｈａｒｇｅｒ）情報ともいう）を充電情報３２０に含むことができる。ＳＯＣ情報は、例えばバッテリの充電率、すなわち、バッテリが完全充電された状態の容量値から放電した電気量を差し引いた残りの容量値（Ａｈ）を、完全充電された場合の容量値（Ａｈ）で除算した値に１００を乗算することにより算出することができる。
【００７７】
（７．  充電用アプリケーション３３０）
次に、図８を参照しながら、本実施形態に係るユーザ端末１００にインストールされる充電用アプリケーション（充電用アプリ）３３０の機能構成を説明する。充電用アプリ３３０は、表示制御部３３１、入力部３３２、充電器情報処理部３３３、ユーザ情報処理部３３４、サービスキー処理部３３５、決済処理部３３６、及びデータベース（ＤＢ）３３７を含む。ＤＢ３３７は、認証情報３３８及び決済情報３３９を、充電用アプリ３３０が管理する記憶領域上に管理する。
【００７８】
表示制御部３３１は、ユーザ端末１００のディスプレイに対する表示を制御する。例えば、表示制御部３３１は、ビーコン信号として受信した充電器３０１の識別番号に対応する充電器情報を充電サービスサーバ３００から受信した場合に、当該充電器情報をユーザ端末１００のディスプレイ上に表示する。また、例えば、表示制御部３３１は、充電完了通知を充電サービスサーバ３００から受信し、或いは決済処理部３３６による充電費用の決済処理が完了した際に、充電及び決済が完了した旨をユーザ端末１００のディスプレイ上に表示する。
【００７９】
入力部３３２は、ユーザ端末１００に設けられた例えば操作ボタンやタッチパネルなどへのユーザＵからの入力操作を受け付け、関係する機能ブロックへ操作内容を伝達する。例えば、入力部３３２は、充電を開始するための操作入力がなされた場合に、ユーザ情報処理部３３４にその旨を伝達する。それに応じて、ユーザ情報処理部３３４は、充電を開始するために必要な認証情報３３８を充電サービスサーバ３００に送信する。また、入力部３３２は、充電を開始する操作が行われるとその旨を決済処理部３３６に伝達する。それに応じて、決済処理部３３６は、充電サービスサーバ３００との間で決済情報３３９の有効性を確認する。
【００８０】
充電器情報処理部３３３は、充電器３０１に係る各種処理を行う。詳細には、充電器情報処理部３３３は、充電器３０１から発信されたビーコン信号に含まれる充電器３０１の充電デバイスキー及びＧＰＳ位置情報を受信し、通信ネットワークＮ１を介して充電サービスサーバ３００に送信する。これにより、充電サービスサーバ３００は、当該充電デバイスキーに対応する充電器情報３１９を検索し、当該充電器情報３１９をユーザ端末１００に送信する。表示制御部３３１は、当該受信した充電器情報に基づき、ユーザＵに充電器３０１の情報を報知する。
【００８１】
また、充電器情報処理部３３３は、例えばユーザ操作に応じて充電サービスサーバ３００に対して充電状況を問い合わせ、充電器３０１による車両ＥＶへの充電状況（充電情報３２０）を受信しても良い。さらに、充電器情報処理部３３３は、充電器３０１による車両ＥＶへの充電が完了し、また当該充電に伴い発生した費用の決済が完了した旨の充電完了通知を充電サービスサーバ３００から受信する。充電器情報処理部３３３が当該充電完了通知を受信すると、決済処理部３３６は、当該充電量等に応じた充電費用に係る決済処理を、充電サービスサーバ３００（決済サービス提供機能３０４）との間で行う。決済処理部３３６による決済処理が完了すると、表示制御部３３１は、充電及び決済が完了した旨をユーザＵに報知する。
【００８２】
ユーザ情報処理部３３４は、例えば充電サービスサーバ３００から充電器情報を受信し、表示制御部３３１が当該充電器への充電を要求するための操作を行った場合に、ＤＢ３３７から認証情報３３８を読み出し、充電サービスサーバ３００に送信する。ここで、認証情報３３８は、例えば充電用アプリ３３０の初回起動時や充電サービスの初回利用時等のタイミングで予めユーザＵに登録され、ＤＢ３３７内で管理される。
【００８３】
サービスキー処理部３３５は、例えば充電開始後、決済前のタイミングで、充電サービスサーバ３００に対し、決済時に利用可能となるサービスキーを要求する。
【００８４】
決済処理部３３６は、ユーザＵが充電器３０１による車両ＥＶの充電を要求する際に、ＤＢ３３７から決済情報３３９を読み出して、当該決済情報３３９を充電サービスサーバ３００（決済サービス提供機能３０４）に送信することにより、決済情報３３９が有効であるか否かを確認する。また決済処理部３３６は、車両ＥＶへの充電が完了した旨の充電完了通知を充電サービスサーバ３００から受信すると、決済情報３３９を用いて、決済サービス提供機能３０４との間で決済処理を行う。
【００８５】
認証情報３３８は、例えば充電サービスシステム３で提供される充電サービスをユーザＵが利用するための認証に用いられる情報であり、例えばユーザＩＤやパスワード等の情報を含むことができる。
【００８６】
決済情報３３９は、ユーザＵが充電に係る費用を支払うための各種情報である。例えば、決済情報３３９には、クレジットカード番号等の情報や、銀行口座などの情報を含むことができる。
【００８７】
（８．  処理の流れ）
以下、サービス連携システム１における処理の流れを、図９を参照しながら説明する。図９は、本実施形態に係るサービス連携システムの処理の流れを示すシーケンス図である。
【００８８】
なお、後述の各処理ステップは、処理内容に矛盾を生じない範囲で、任意に順番を変更して若しくは並列に実行することができ、また、各処理ステップ間に他のステップを追加しても良い。更に、便宜上１つのステップとして記載されているステップは複数のステップに分けて実行することもでき、便宜上複数に分けて記載されているステップを１ステップとして実行することもできる。
【００８９】
管理装置２０１が起動すると、管理装置２０１は、自装置の管理デバイスキー及びＧＰＳ位置情報を含むビーコン信号の発信を開始する（Ｓ１００）。ユーザ端末１００の管理用アプリ２３０はビーコン信号を受信すると、管理装置２０１との間で無線接続を確立するためのペアリング処理を行う（Ｓ１０１）。
【００９０】
ユーザ端末１００と管理装置２０１との間の無線接続が確立すると、管理用アプリ２３０は管理装置２０１に対する設定すべき情報として、ユーザ宅における契約電力会社情報の入力を促し、該契約電力会社情報が入力されると、ユーザ端末１００は、管理装置情報として、管理デバイスキー、ＧＰＳ位置情報、及びユーザ宅における契約電力会社情報を制御サーバ２００に送信する（ステップＳ１０２）。これに応じて、制御サーバ２００は、受信した管理装置情報を登録する（ステップＳ１０３）。
【００９１】
また、管理用アプリ２３０は、ユーザ端末１００への入力操作に応じて、管理用アプリ２３０におけるユーザ認証情報（ログインＩＤ及びパスワード）を制御サーバ２００に送信する（ステップＳ１０４）。これに応じて、制御サーバ２００は、受信したユーザ認証情報によりユーザ登録を行う（ステップＳ１０５）。
【００９２】
続いて、管理用アプリ２３０は、ユーザ端末１００への入力操作に応じて、ユーザ情報（ユーザデバイスキー及びユーザの契約電力会社情報）を制御サーバ２００に送信する（ステップＳ１０６）。これに応じて、制御サーバ２００は、受信したユーザ情報を登録する（ステップＳ１０７）。
【００９３】
また、充電サービスサーバ３００は、充電スタンドに設置された充電器３０１に関する充電器情報（充電デバイスキー、ＧＰＳ位置情報、及び充電スタンドにおける契約電力会社情報）を登録する（ステップＳ１１０）。
【００９４】
他方、充電器３０１は、自装置の充電デバイスキー及びＧＰＳ位置情報を含むビーコン信号を発信している（ステップＳ１２０）。ユーザ端末１００が充電器３０１に近づき、ビーコン信号を受信すると、充電用アプリ３３０は、該充電用アプリ３３０のユーザ認証情報及び受信した充電器情報（充電デバイスキー、ＧＰＳ位置情報）を充電サービスサーバ３００に送信する（ステップＳ１２１）。
【００９５】
充電サービスサーバ３００は、受信したユーザ認証情報の認証に成功すると（ステップＳ１２２）、受信した充電デバイスキー及びＧＰＳ位置情報に基づいて充電器３０１を特定し、該特定した充電器３０１に向けて充電指示を行う（ステップＳ１２３）。
【００９６】
また、充電用アプリ３３０は、ユーザ端末１００のユーザデバイスキーと共に、サービスキーの要求信号を充電サービスサーバ３００に送信する（ステップＳ１２４）。これに応じて、充電サービスサーバ３００は、受信したユーザデバイスキーと共に、照合情報の要求信号を制御サーバ２００に送信する（ステップＳ１２５）。
【００９７】
制御サーバ２００は、受信したユーザデバイスキーを元にユーザ情報２１９（図４参照）を検索し、ユーザデバイスキーと関連付けられたユーザの契約電力会社情報を、照合情報として充電サービスサーバ３００に送信する（ステップＳ１２６）。
【００９８】
充電サービスサーバ３００は、ステップＳ１２１において受信した充電デバイスキーと関連付けられた充電スタンドの契約電力会社情報を充電器情報３１９（図７参照）から抽出し、この充電スタンドの契約電力会社情報を、ステップＳ１２６において受信したユーザの契約電力会社情報と照合する（ステップＳ１２７）。そして、両契約電力会社情報が一致した場合に、サービスキーを充電用アプリ３３０に送信する（ステップＳ１２８）。
【００９９】
充電用アプリ３３０は、受信したサービスキーを利用して、決済処理時に、課金割引等のサービス適用を受ける（ステップＳ１２９）。
【０１００】
（９．  ハードウェア構成）
次に、図１０及び図１１を参照しながら、制御サーバ２００及び充電サービスサーバ３００、並びにユーザ端末１００のハードウェア構成について説明する。
【０１０１】
（９．１．  制御サーバ２００、充電サービスサーバ３００）
まず、図１０を参照しながら、制御サーバ２００及び充電サービスサーバ３００のハードウェア構成を説明する。制御サーバ２００及び充電サービスサーバ３００のハードウェア構成は概ね同様であり、後述する記憶部２５３に記憶されるプログラムが互いに異なるだけである。従って、以下においては、代表して制御サーバ２００のハードウェア構成を説明する。
【０１０２】
図１０に示すように、制御サーバ２００は、制御部２５０と、通信インタフェース（Ｉ／Ｆ）部２５２と、記憶部２５３と、表示部２５５と、入力部２５６とを含み、各部はバスライン２５７を介して接続される。
【０１０３】
制御部２５０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）２５１等を含む。制御部２５０は、記憶部２５３に記憶される制御プログラム２５４を実行することにより、一般的な情報処理装置としての機能に加え、上述した制御サーバ２００にかかる処理を実現可能に構成される。なお、制御プログラム２５４の代わりに充電用プログラムを記憶させることで、同じハードウェアを充電サービスサーバ３００として使用することができる。
【０１０４】
また、ＲＡＭ２５１は、制御プログラム２５４に含まれるコードの他、図４に示したデバイス情報２１８、ユーザ情報２１９、及び管理情報２２０を格納するＤＢ２１７の一部又は全部を一時的に保持する。更にＲＡＭ２５１は、ＣＰＵが各種処理を実行する際のワークエリアとしても使用される。
【０１０５】
通信Ｉ／Ｆ部２５２は、ユーザ端末１００や管理装置２０１を含む外部の装置との間で、通信ネットワークＮ１を介したデータ通信を行うためのデバイスである。図４で示した管理装置制御部２１０、デバイス登録部２１３、ユーザ登録部２１４、ユーザ端末制御部２１５、及び照合情報送信部２１６が、ユーザ端末１００、管理装置２０１、充電サービスサーバ３００との間で行う通信は、全て通信Ｉ／Ｆ部２５２が行う。
【０１０６】
記憶部２５３は、例えばＨＤＤ（Ｈａｒｄ  Ｄｉｓｋ  Ｄｒｉｖｅ）やフラッシュメモリ等の不揮発性の記憶媒体である。記憶部２５３は、一般的な情報処理装置としての機能を実現するためのオペレーティングシステム（ＯＳ）やアプリケーション及びデータを記憶する。また記憶部２５３は、制御プログラム２５４及びＤＢ２１７を記憶する。前述のとおり、図４に示した管理装置制御部２１０、デバイス登録部２１３、ユーザ登録部２１４、ユーザ端末制御部２１５、及び照合情報送信部２１６は、制御プログラム２５４に含まれる。
【０１０７】
ＤＢ２１７は、例えば図４に示したデバイス情報２１８、ユーザ情報２１９、及び管理情報２２０などを含むことができる。ＤＢ２１７に含まれる各種データは、必要に応じてＲＡＭ２５１にロードされ、制御部２５０に含まれるＣＰＵから参照される。
【０１０８】
表示部２５５は、管理者に情報を表示するためのディスプレイ装置である。表示部２５５の具体例としては、例えば液晶ディスプレイや有機ＥＬ（Electro-Luminescence）ディスプレイ等が挙げられる。入力部２５６は、管理者から入力を受け付けるためのデバイスである。入力部２５６の具体例としては、キーボードやマウス、タッチパネル等を挙げることができる。
【０１０９】
なお、制御サーバ２００は、表示部２５５及び入力部２５６を必ずしも備える必要はない。また表示部２５５及び入力部２５６は、ＵＳＢ（Universal  Serial  Bus）やディスプレイポート等の各種インタフェースを介して外部から制御サーバ２００に接続されても良い。
【０１１０】
制御サーバ２００は、図１０に示すハードウェア構成に限定されない。例えば、制御サーバ１０は、クラウドサーバや仮想サーバを用いて実現されていてもよい。
【０１１１】
（９．２．  ユーザ端末１００）
次に、図１１を参照しながらユーザ端末１００のハードウェア構成を説明する。図１１に示すように、ユーザ端末１００は、制御部１０１と、近距離無線通信部１０３と、無線通信部１０４と、記憶部１０５と、表示部１０６と、入力部１０７とを含み、各部はバスライン１０８を介して接続される。
【０１１２】
制御部１０１は、ＣＰＵ、ＲＯＭ、ＲＡＭ１０２等を含む。制御部１０１は、記憶部１０５に記憶される管理用アプリ２３０及び充電用アプリ３３０を実行することにより、一般的な情報処理装置としての機能に加え、本実施形態に係る処理を実現可能に構成される。例えば、図５を参照しながら説明した表示制御部２３１、入力部２３２、管理装置接続部２３３、管理装置設定部２３４、ユーザ情報登録部２３５、管理情報取得部２３６、制御指示部２３７、及び報知部２３８は、ＲＡＭ１０２に一時記憶された上で、ＣＰＵ上で動作する管理用アプリ２３０の一部として実現可能である。また、図８を参照しながら説明した表示制御部３３１、入力部３３２、充電器情報処理部３３３、ユーザ情報処理部３３４、サービスキー処理部３３５、及び決済処理部３３６も同様に、ＲＡＭ１０２に一時記憶された上で、ＣＰＵ上で動作する充電用アプリ３３０の一部として実現可能である。
【０１１３】
また、ＲＡＭ１０２は、管理用アプリ２３０及び充電用アプリ３３０にそれぞれ含まれるコードの他、図５に示したユーザ情報２４１を格納するＤＢ２４０や、図８に示した認証情報３３８及び決済情報３３９を格納するＤＢ３３７の一部又は全部を一時的に保持する。更にＲＡＭ１０２は、ＣＰＵが各種処理を実行する際のワークエリアとしても使用される。
【０１１４】
近距離無線通信部１０３は、例えば管理装置２０１から送信されるビーコン信号や、充電器３０１から送信されるビーコン信号を受信し、また管理装置２０１と通信するためのデバイスである。無線通信部１０４は、制御サーバ２００及び充電サービスサーバ３００を含む外部の装置との間で、通信ネットワークＮ１又は通信ネットワークＮ２を介したデータ通信を行うためのデバイスである。
【０１１５】
記憶部１０５は、例えばＨＤＤやフラッシュメモリ等の不揮発性の記憶媒体である。記憶部１０５は、一般的な情報処理装置としての機能を実現するためのオペレーティングシステムやアプリケーション及びデータを記憶する。また記憶部１０５は、管理用アプリ２３０及び充電用アプリ３３０を記憶する。また記憶部１０５には、管理用アプリ２３０が管理するＤＢ２４０を格納する記憶領域、及び充電用アプリ３３０が管理するＤＢ３１７を格納する記憶領域も確保される。ＤＢ２４０及びＤＢ３１７に含まれる各種データは、必要に応じてＲＡＭ１０２にロードされ、制御部１０１に含まれるＣＰＵから参照される。
【０１１６】
表示部１０６は、ユーザＵに報知する情報を表示するためのディスプレイ装置である。表示部１０６の具体例としては、例えば液晶ディスプレイや有機ＥＬディスプレイ等が挙げられる。入力部１０７は、ユーザＵから入力を受け付けるためのデバイスである。入力部１０７の具体例としては、タッチパネルや各種操作ボタン等を挙げることができる。
【０１１７】
なお、表示部１０６及び入力部１０７は、例えば近距離無線通信部１０３が通信可能な外部装置等として実現することも可能である。
【０１１８】
（１０．  本実施形態の効果等）
以上説明したように、本実施形態に係るサービス連携システム１によれば、各々が独立した管理用アプリ２３０と充電用アプリ３３０とを、ユーザへのサービス提供に関して連携させることができる。従って、ユーザは、管理用アプリ２３０及び充電用アプリ３３０を個別に使用しつつ、自宅で契約している電力会社と同じ電力会社が電力を供給している充電スタンドを外出先で利用する場合に、所定のサービスを受けることができる。
【０１１９】
また、本実施形態に係るサービス連携システム１においては、制御サーバ２００と充電サービスサーバ３００との間で、ユーザ端末１００のユーザデバイスキー及び照合情報としてのユーザの契約電力会社情報という最小限の情報のやり取りのみを行うので、情報の安全性を確保しつつ、サービスを連携させることができる。
【０１２０】
なお、上記実施形態においては、サービスキーを１種類のみ発行することとしたが、割引率が異なる複数種類のサービスキーを発行することとしても良い。例えば、機器管理システム２における管理用アプリ２３０と充電サービスシステム３における充電用アプリ３３０との連携に加え、さらに多様なアプリケーションと連携できるようにすることで、ユーザが利用している連携可能なアプリケーションの数に応じて、サービスキーの割引率を任意に設定できるようにしても良い。
【０１２１】
また、上記実施形態においては、制御サーバ２００と充電サービスサーバ３００との間で通信させることにより、管理用アプリ２３０と充電用アプリ３３０とを連携させることとした。しかしながら、制御サーバ２００及び充電サービスサーバ３００とそれぞれ通信する別のサーバを設け、この別のサーバに管理装置２０１の管理装置情報及びユーザ情報、並びに充電器３０１の充電器情報等を集約することにより、管理用アプリ２３０と充電用アプリ３３０とを連携させても良い。或いは、制御サーバ２００の機能と充電サービスサーバ３００の機能とを１つのサーバ装置で構成することよって、管理用アプリ２３０と充電用アプリ３３０とを連携させても良い。さらに、制御サーバ２００と充電サービスサーバ３００との間で、契約電力会社情報を含むユーザ情報を共有することで、管理用アプリ２３０と充電用アプリ３３０とを連携させたサービスを行っても良い。
【０１２２】
以上説明した実施形態の構成は、組み合わせたり或いは一部の構成部分を入れ替えたりしてもよい。また、本発明の構成は上述の実施形態のみに限定されるものではなく、本発明の要旨を逸脱しない範囲内において種々変更を加えてもよい。
【符号の説明】
【０１２３】
１…サービス連携システム、２…機器管理システム、３…充電サービスシステム、１０…制御サーバ、１００…ユーザ端末、１０１…制御部、１０２…ＲＡＭ、１０３…近距離無線通信部、１０４…無線通信部、１０５…記憶部、１０６…表示部、１０７…入力部、１０８…バスライン、２００…制御サーバ、２０１…管理装置、２０２…管理対象機器、２１０…管理装置制御部、２１１…制御指示部、２１２…管理情報管理部、２１３…デバイス登録部、２１４…ユーザ登録部、２１５…ユーザ端末制御部、２１６…照合情報送信部、２１７…データベース（ＤＢ）、２１８…デバイス情報、２１９…ユーザ情報、２２０…管理情報、２３０…管理用アプリケーション（管理用アプリ）、２３１…表示制御部、２３２…入力部、２３３…管理装置接続部、２３４…管理装置設定部、２３５…ユーザ情報登録部、２３６…管理情報取得部、２３７…制御指示部、２３８…報知部、２４０…データベース（ＤＢ）、２４１…ユーザ情報、２５０…制御部、２５１…ＲＡＭ、２５２…通信インタフェース（Ｉ／Ｆ）部、２５３…記憶部、２５４…制御プログラム、２５５…表示部、２５６…入力部、２５７…バスライン、３００…充電サービスサーバ、３０１…充電器、３０３…充電サービス提供機、３０４…決済サービス提供機能、３０５…サービスキー発行機能、３１１…ユーザ端末制御部、３１２…充電器制御部、３１３…照合情報要求部、３１４…照合部、３１５…サービスキー発行処理部、３１６…決済処理部、３１７…データベース（ＤＢ）、３１８…ユーザ認証情報、３１９…充電器情報、３２０…充電情報、３３０…充電用アプリケーション（充電用アプリ）、３３１…表示制御部、３３２…入力部、３３３…充電器情報処理部、３３４…ユーザ情報処理部、３３５…サービスキー処理部、３３６…決済処理部、３３７…データベース（ＤＢ）、３３８…認証情報、３３９…決済情報、
【図１】
2020035258.tif 000003
【図２】
2020035258.tif 000004
【図３】
2020035258.tif 000005
【図４】
2020035258.tif 000006
【図５】
2020035258.tif 000007
【図６】
2020035258.tif 000008
【図７】
2020035258.tif 000009
【図８】
2020035258.tif 000010
【図９】
2020035258.tif 000011
【図１０】
2020035258.tif 000012
【図１１】
2020035258.tif 000013